(57)【要約】      （修正有）【課題】誰にでも良く目立って踏み切りの存在を伝えて注意を喚起し、何処でも設置可能な踏切掲示板を提供する。【解決手段】主に踏切に接近してくる人や車を感知するセンサー１と、太陽光蓄電池２と、安全標語文字又は掲示板を発光させて、踏切の存在を警告し、安全行動を促進する掲示板本体３と制御盤と太陽光受光発電用パネルを支柱上にそれぞれ一体に組み合わせて設けた安全標語掲示板から成り、且つ、人や車が踏切に接近するとセンサーが感知して、安全標語掲示板が点灯するものである。【選択図】図８
0003147368.tif 000002
【実用新案登録請求の範囲】
【請求項１】
遮断機の無い見通しの悪い踏切の近傍に設置して、人や車に注意を促し安全を確保する踏切掲示板であって、該掲示板は、主に踏切に接近してくる人や車を感知するセンサー（１）と、太陽光蓄電池（２）と、安全標語文字又は掲示板を発光させて、踏切の存在を警告し、安全行動を促進する掲示板本体（３ａ）と制御盤（３ｂ）と太陽光受光発電用パネル（３ｃ）を支柱（３ｄ）上にそれぞれ一体に組み合わせて設けた安全標語掲示板（３）から成り、且つ、人や車が踏切に接近するとセンサー（１）が感知して、安全標語掲示板（３）が点灯する事を特徴とする踏切掲示板。
【考案の詳細な説明】
【技術分野】
【０００１】
この考案は、遮断機の無い見通しの悪い踏切の近傍に設置して、人や車に注意を促し安全を確保する踏切掲示板に関するものである。
【背景技術】
【０００２】
従来、本来ならば踏切には遮断機や、警告音装置や、列車の進行方向を矢印で電光表示する装置や、安全表示板が取り付けられているのが通常である。しかし、在来線（ローカル線）踏切には遮断機も無く、一旦停止や左右確認等の安全標語すら設置してない所も見受けられ、又、安全標語がある場所でも、良く注意して見ないと気付かないペンキ書きの物が多く、ほぼ無いのと変わらないのが実状である。そして、特に田舎になると、カーブの多い踏切が多い為見通しが悪く、しかも、一日に通る列車の本数も少なく、緊迫感が薄れる傾向性が有り、ついうっかりして踏切の存在に気付かなく、無意識の内に踏切内に侵入して大きな事故を引き起こす場合がある。
【０００３】
又、近年高齢化が進み、お年寄りは、視力や聴覚が悪化しており、目の前に安全標語が有っても気づかないというのが実態で、何とか一日も早く、こうした上記問題を解消すべく安全対策が求められている。
【０００４】
これまでに出願されている踏切掲示板に関連した特許文献を参考の為、紹介する。（特許文献１〜２参照。）
【特許文献１】特開２００６−１６８４８７
【特許文献２】特開２００６−２８４３７０
【考案の開示】
【考案が解決しようとする課題】
【０００５】
そこで、上記課題を解決する為に、この考案は誰にでも良く目立って踏み切りの存在を伝えて注意を喚起し、何処にでも設置可能な踏切掲示板を開発・提供する事にある。
【課題を解決するための手段】
【０００６】
課題を解決するための手段として、主に踏切に接近してくる人や車を感知するセンサーと、太陽光蓄電池と、安全標語文字又は掲示板を発光させて、踏切の存在を警告し、安全行動を促進する掲示板本体と制御盤と太陽光受光発電用パネルを支柱上にそれぞれ一体に組み合わせて設けた安全標語掲示板から成り、且つ、人や車が踏切に接近するとセンサーが感知して、安全標語掲示板が点灯するものである。
【考案の効果】
【０００７】
この考案の効果として、主に踏切に接近してくる人や車を感知するセンサーと、太陽光蓄電池と、安全標語文字又は掲示板を発光させて、踏切の存在を警告し、安全行動を促進する掲示板本体と制御盤と太陽光受光発電用パネルを支柱上にそれぞれ一体に組み合わせて設けた安全標語掲示板から成り、且つ、人や車が踏切に接近するとセンサーが感知して、安全標語掲示板が点灯する事で、うっかり踏切に接近した場合でも、良く目立つ掲示板が踏切の存在を教えてくれる為、安全確保に役立つ。又、太陽光発電方式である為、電源を必要とせず、田舎等電源設備の少ない場所でも設置可能である等、極めて有益なる効果を奏するものである。
【考案を実施するための最良の形態】
【０００８】
この考案の最良の形態として、掲示板の設置場所は人や車を運転するドライバーが見え易い場所に設置し、センサーの取り付け位置や高さや方向も設置する場所や状況に応じて適宜調整し、更に、太陽光受光発電用パネルの設置角度も季節や場所や環境に応じてその都度調整する必要がある。
【実施例１】
【０００９】
そこで、この考案の一実施例を図１〜図８に基づいて詳述すると、遮断機の無い見通しの悪い踏切の近傍に設置して、人や車に注意を促し安全を確保する踏切掲示板であって、該掲示板は、主に踏切に接近してくる人や車を感知するセンサー（１）と、太陽光蓄電池（２）と、安全標語文字又は掲示板を発光させて、踏切の存在を警告し、安全行動を促進する掲示板本体（３ａ）と制御盤（３ｂ）と太陽光受光発電用パネル（３ｃ）を支柱（３ｄ）上にそれぞれ一体に組み合わせて設けた安全標語掲示板（３）から成り、且つ、人や車が踏切に接近するとセンサー（１）が感知して、安全標語掲示板（３）が点灯する事を特徴とする踏切掲示板から構成される。
【００１０】
次に、この考案の詳細について説明すると、まず、センサー（１）の大きさは、図１に示す様に、縦寸法１５０ｍｍ×横寸法１２５ｍｍ×高さ寸法１０００ｍｍで、正面上下方向に上下左右位置調整可能なセンサーレンズ（１ａ）が３か所設けられている。
【００１１】
又、太陽光蓄電池（２）の大きさは、図２に示す様に縦寸法４００ｍｍ×横寸法４００ｍｍ×高さ寸法３００ｍｍである。
【００１２】
そして、安全標語掲示板（３）は、図３〜図７に示す様に直径Φ１００ｍ×９００ｍｍＬの支柱の上端に、縦寸法６００ｍｍ×横寸法４００ｍｍの間接照明型掲示板本体（３ａ）と制御盤（３ｂ）を表裏に重合して設け、且つ、該制御盤（３ｂ）の上部に角度と支柱の向きを回転調整可能にした太陽光受光発電用パネル（３ｃ）を設けたものである。又、上記間接照明型掲示板本体（３ａ）は、図６・図７に示す様に断面形状がコの字状をしたアルミ製の枠縁（Ｆ）を矩形状に組み合わせ、且つ、組み合わせた枠縁（Ｆ）内に板厚寸法８ｍｍの透明アクリル板（ＡＰ）を嵌合し、表裏全周をバテ仕上げにてコーキング加工して設け、且つ、透明アクリル板の外周の枠縁（Ｆ）内部に基板（ＢＰ）を嵌着し、該基板の中心部に複数の白色の発光ダイオード（ＬＥＤランプ）を内向に設置し、且つ、白色の発光ダイオード（ＬＥＤランプ）の光輝をより増大させる為、透明アクリル板と枠縁間の全周にはコの字状に巻いたアルミ箔（ＡＦ）を設けている。そして、更に透明アクリル板の裏面には、白色のカラーフィルム（ＣＦ）と、一旦停止や左右確認等の安全標語（ＳＬ）を記載した白色の塩ビ板（ＲＰ）と、保護板（ＣＰ）をそれぞれ重合貼付して設けている。従って、白色の発光ダイオード（ＬＥＤランプ）が発した光はアルミ箔（ＡＦ）によって反射し光輝を増して透明アクリル板（ＡＰ）内に浸透する為、透明アクリル板（ＡＰ）の裏面部に重合貼付した赤色のカラーフィルム（ＣＦ）が一段と色鮮やかな赤色に輝き、白色の塩ビ板（ＲＰ）により記載した赤色の安全標語（ＳＬ）文字が浮上して非常に良く目立つ構造に成っている。
【００１３】
図４は安全標語掲示板（３）の裏面側で制御盤（３ｂ）の詳細をしめしたもので、制御盤の内部にはメインスィッチ（ＭＳ）やトランス（ＴＲ）やリレー（Ｒ）やタイマー（ＴＩ）や端子台（ＴＥ）が組み込まれている。
【００１４】
図５は安全標語掲示板（３）の右側面図である。
【００１５】
次に、この考案である踏切掲示板の取付要領を図８（Ａ）（Ｂ）に基づいて説明すると、まず、安全標語掲示板（３）は踏切（Ｘ）の近傍の良く見える道路沿いの場所で、且つ、人や車を運転するドライバーが良く見える方向に設置し、安全標語掲示板（３）の側近には太陽光受光発電用パネル（３ｃ）から受光発電した電気を蓄電する太陽光蓄電池（２）を設けて、制御盤（３ｂ）と太陽光蓄電池（２）間を電力ケーブル（ＣＡ１）で接続し、更に、センサー（１）は約２０ｍ〜３０ｍ離れた道路沿いに設置し、制御盤（３ｂ）とセンサー（１）間をセンサー用電線ケーブル（ＣＡ２）で接続する。そして、センサーレンズ（１ａ）の向きは図９（Ｂ）に示す様に、赤外線（ＩＲ）が道路（ＲＯ）の進行方向に対して直角方向に成る様に取り付け、上下・左右の調整はその都度、状況に応じて位置を調整する。
【００１６】
次に、この考案の作動機能について概要を説明すると、上記で述べた様に人や車が踏切に近付きセンサーの設置場所内に入ると、赤外線（ＩＲ）によりセンサー（１）が感知して、制御盤（３ｂ）内に設けられたリレー（Ｒ）に信号が送られ、開閉器が入力されて間接照明型掲示板本体（３ａ）周囲に設けられた白色の発光ダイオード（ＬＥＤランプ）（Ｌ）が点灯する。そして、点灯した白色の発光ダイオード（Ｌ）は、設定した所定の時間が経過するとタイマー（ＴＩ）が作動して消灯する仕組みに成っている。
【００１７】
又、本装置は昼間太陽光受光発電用パネル（３ｃ）によって電気を受光発電し、太陽光蓄電池（２）に蓄電している為、暗い夜間でも明々と発光する事が可能である。
【実施例２】
【００１８】
その他の実施例として、図９に示す様に安全標語掲示板（３）の設置場所に応じて、掲示板本体は安全標語文字の形状に合わせて赤色の発光ダイオード（ＬＥＤランプ）を埋設した直接発光型掲示板本体（３ａ'）を使用したものも有り、何れのものを使用しても構わない。
【産業上の利用可能性】
【００１９】
この考案の踏切掲示板は、誰にでも良く目立って踏み切りの存在を伝えて注意を喚起し、何処でも設置可能な為、多くの人や車を運転するドライバーに寄与する為、産業上の利用可能性を有する。
【図面の簡単な説明】
【００２０】
【図１】この考案の一実施例を示し、センサーの斜視図である。
【図２】この考案の一実施例を示し、太陽光蓄電池の正面図である。
【図３】この考案の一実施例を示し、間接照明型掲示板の正面図である。
【図４】この考案の一実施例を示し、間接照明型掲示板の裏面図である。
【図５】この考案の一実施例を示し、間接照明型掲示板の右側面図である。
【図６】この考案の一実施例を示し、間接照明型掲示板の掲示板本体部詳細図である。
【図７】この考案の一実施例を示し、（Ａ）は図６のａ−ａ矢視断面図で、（Ｂ）は図７（Ａ）のｂ部拡大詳細図である。    図である。
【図８】この考案の使用例を示し、（Ａ）は本装置（踏切掲示板）の取付要領を示す側面図で、（Ｂ）は平面図である。
【図９】この考案のその他の実施例を示し、直接発光型掲示板の掲示板本体部詳細図である。
【符号の説明】
【００２１】
１  センサー
１ａ  センサーレンズ
２  太陽光蓄電池
３  安全標語掲示板
３ａ  間接照明型掲示板本体
３ａ'  直接発光型掲示板本体
３ｂ  制御盤
３ｃ  太陽光受光発電用パネル
３ｄ  支柱
ＡＦ  アルミ箔
ＡＰ  透明アクリル板
ＢＰ  基板
ＣＡ１  電力ケーブル
ＣＡ２  センサー用電線ケーブル
ＣＦ  カラーフィルム（赤色）
ＣＰ  保護板
Ｆ  枠縁
ＩＲ  赤外線
Ｌ  発光ダイオード（ＬＥＤランプ）
ＭＳ  メインスィッチ
Ｒ  リレー
ＲＯ  道路
ＲＰ  白色塩ビ板
ＲＷ  軌道
ＳＬ  安全標語
ＴＥ  端子台
ＴＩ  タイマー
ＴＲ  トランス
Ｘ  踏切
Ｙ  所定寸法（掲示板とセンサー間距離）
【図１】
0003147368.tif 000003
【図２】
0003147368.tif 000004
【図３】
0003147368.tif 000005
【図４】
0003147368.tif 000006
【図５】
0003147368.tif 000007
【図６】
0003147368.tif 000008
【図７】
0003147368.tif 000009
【図８】
0003147368.tif 000010
【図９】
0003147368.tif 000011